(57)【特許請求の範囲】
【請求項１】
インシュレータと、
同軸ケーブルの中心導体に半田付結線される半田付用結線部と、前記インシュレータに保持される保持部とを有する信号コンタクトと、
前記インシュレータ及び前記信号コンタクトを包囲するグランドシェルと
を備えているコネクタにおいて、
前記半田付用結線部は、前記同軸ケーブルの中心導体を収容可能なようにほぼＵ字状に折り曲げられ、
前記半田付用結線部の深さが、収容される前記同軸ケーブルの中心導体の外径と同等かつ一定であり、
前記半田付用結線部の開口面で露出した半田の露出面と前記グランドシェルの内周面との間の距離が、前記半田付用結線部の外周面と前記グランドシェルの内周面との間の距離よりも長い
ことを特徴とするコネクタ。
【請求項２】
前記半田付用結線部に前記中心導体を収容して半田付結線したとき、前記中心導体の中心が前記グランドシェルの中心に位置するように、前記半田付用結線部が前記グランドシェル内に配置されていることを特徴とする請求項１記載のコネクタ。
【請求項３】
前記半田付用結線部に前記中心導体を収容して半田付結線したとき、前記中心導体の中心が前記グランドシェルの中心よりも前記半田結線部の開口面と反対側の方向にずれるように、前記半田付用結線部が前記グランドシェル内に配置されていることを特徴とする請求項１記載のコネクタ。
【請求項４】
前記グランドシェルの前記半田付用結線部の開口面に径方向で対向する部分に切欠きが形成されていることを特徴とする請求項１から３のいずれか１項記載のコネクタ。
【請求項５】
前記半田付用結線部の開口面と前記グランドシェルの前記半田付用結線部の開口面に径方向で対向する部分との間に空気層が形成され、
前記インシュレータは、前記半田付用結線部の開口面を除く３方の面とこの３方の面に径方向で対向する前記グランドシェルの内周面の一部との間に収容されて誘電体層を形成することを特徴とする請求項１から４のいずれか１項記載のコネクタ。
【発明の詳細な説明】
【技術分野】
【０００１】
この発明はコネクタに関し、特に同軸構造のコネクタに関する。
【背景技術】
【０００２】
従来、信号コンタクトとグランドシェルと絶縁体とを備える同軸コネクタが知られている（下記特許文献１参照）。
【０００３】
信号コンタクト（中心導体）はほぼ円筒状であり、同軸ケーブルの中心導体に結線される半田付用結線部を有する。半田付用結線部は半円筒状であり、信号コンタクトの一端部に位置する。
【０００４】
信号コンタクトの半田付用結線部に同軸ケーブルの中心導体が挿入されたき、同軸ケーブルの中心導体の径方向の半分は露出する。
【０００５】
グランドシェルはほぼ円筒状であり、信号コンタクトを収容する。
【０００６】
絶縁体は信号コンタクトとグランドシェルとの間に介在し、信号コンタクトを保持する。
【０００７】
同軸ケーブルの中心導体をコネクタの信号コンタクトに半田付けするには、同軸ケーブルの中心導体の一端部を信号コンタクトの半田付用結線部に挿入した後、半田を溶融させて、同軸ケーブルの中心導体を信号コンタクトの半田付用結線部に接合する。
【０００８】
このとき、同軸ケーブルの中心導体と信号コンタクトの半田付用結線部との接合強度を所定レベル以上にすることが要求されるため、少なくとも同軸ケーブルの中心導体の露出部分をほぼ覆いつくす量の半田が盛られることになる。
【特許文献１】実開昭５９−９９３７８号公報
【発明の開示】
【発明が解決しようとする課題】
【０００９】
高周波伝送に用いられる同軸ケーブルと同軸コネクタとの接続において、特性インピーダンスのマッチングが重要であるが、中心導体上に盛られた半田の露出面とグランドシェルとの距離は特性インピーダンスを決定する重要なファクターである。
【００１０】
上述の同軸コネクタでは、信号コンタクトの半田付用結線部に同軸ケーブルの中心導体が挿入されたとき、同軸ケーブルの中心導体の径方向の半分は露出するため、所定の接合強度を確保するには少なくとも同軸ケーブルの中心導体の露出部分をほぼ覆いつくす量の半田が要求されるが、それが、同軸ケーブルと同軸コネクタとの接続作業間に半田使用量のばらつきを招く一因となっていた。
【００１１】
半田使用量がばらつくと、それに応じて中心導体上に盛られた半田の露出面とグランドシェルとの距離が変わり、特性インピーダンスの変化量も大きくなる。
【００１２】
この発明はこのような事情に鑑みてなされたもので、その課題は半田付用結線部の半田量のばらつきによる特性インピーダンスの変化量を低減することができる同軸コネクタを提供することである。
【課題を解決するための手段】
【００１３】
前述の課題を解決するため請求項１の発明のコネクタは、インシュレータと、同軸ケーブルの中心導体に半田付結線される半田付用結線部と、前記インシュレータに保持される保持部とを有する信号コンタクトと、前記インシュレータ及び前記信号コンタクトを包囲するグランドシェルとを備えているコネクタにおいて、前記半田付用結線部は、前記同軸ケーブルの中心導体を収容可能なようにほぼＵ字状に折り曲げられ、前記半田付用結線部の深さが、収容される前記同軸ケーブルの中心導体の外径と同等かつ一定であり、前記半田付用結線部の開口面で露出した半田の露出面と前記グランドシェルの内周面との間の距離が、前記半田付用結線部の外周面と前記グランドシェルの内周面との間の距離よりも長いことを特徴とする。
【００１４】
上述のように、半田付用結線部は、同軸ケーブルの中心導体を収容可能なようにほぼＵ字状に折り曲げられ、半田付用結線部の深さが、収容される同軸ケーブルの中心導体の外径以上であるので、中心導体を半田付用結線部に収容し、半田付けする際に、半田を半田付用結線部内に閉じ込めて半田付けをすることができ、また、少ない量の半田でも、同軸ケーブルの中心導体の全周に半田が行き渡り、所定の接合強度を確保することができる。したがって、半田の使用量のばらつきが生じにくくなり、特性インピーダンスの変化量が小さくなる。
【００１５】
請求項２の発明は、請求項１記載のコネクタにおいて、前記半田付用結線部に前記中心導体を収容して半田付結線したとき、前記中心導体の中心が前記グランドシェルの中心に位置するように、前記半田付用結線部が前記グランドシェル内に配置されていることを特徴とする。
【００１６】
請求項３の発明は、請求項１記載のコネクタにおいて、前記半田付用結線部に前記中心導体を収容して半田付結線したとき、前記中心導体の中心が前記グランドシェルの中心よりも前記半田結線部の開口面と反対側の方向にずれるように、前記半田付用結線部が前記グランドシェル内に配置されていることを特徴とする。
【００１７】
請求項４の発明は、請求項１から３のいずれか１項記載のコネクタにおいて、前記グランドシェルの前記半田付用結線部の開口面に径方向で対向する部分に切欠きが形成されていることを特徴とする。
請求項５の発明は、請求項１から４のいずれか１項記載のコネクタにおいて、前記半田付用結線部の開口面と前記グランドシェルの前記半田付用結線部の開口面に径方向で対向する部分との間に空気層が形成され、前記インシュレータは、前記半田付用結線部の開口面を除く３方の面とこの３方の面に径方向で対向する前記グランドシェルの内周面の一部との間に収容されて誘電体層を形成することを特徴とする。
【発明の効果】
【００１８】
この発明によれば、半田付用結線部の半田量のばらつきによる特性インピーダンスの変化量を低減することができる。
【発明を実施するための最良の形態】
【００１９】
以下、この発明の実施の形態を図面に基づいて説明する。
【００２０】
図１はこの発明の第１実施形態に係る同軸コネクタの縦断面図、図２は図１に示す同軸コネクタの外観を示す斜視図、図３は図２のIII−III線に沿う断面図、図４は図２に示す同軸コネクタの横断面を示す斜視図である。
【００２１】
図１、２に示すように、同軸コネクタ（コネクタ）１はインシュレータ３と信号コンタクト５とグランドシェル７とを備える。
【００２２】
同軸コネクタ１は同軸ケーブル２０に接続されている。図１には、同軸ケーブル２０が一端部で切断され、その横断面図が描かれている。同軸ケーブル２０は中心導体２１と絶縁体２２と外部導体２３と被覆２４とを有する。
【００２３】
インシュレータ３は絶縁性を有する樹脂製であり、ほぼ円柱状である。インシュレータ３はいわゆるモールドイン成形法によって後述する信号コンタクト５の保持部５２を包み込むように形成されている。インシュレータ３はグランドシェル７内に固定されている。
【００２４】
信号コンタクト５は半田付用結線部５１と保持部５２と一対のばね部５３と一対の接触部５４とを有する。
【００２５】
半田付用結線部５１は図３、４に示すように、ほぼＵ字状に折り曲げられ、中心導体２１を収容可能である。半田付用結線部５１の深さは同軸ケーブル２０の中心導体２１の直径とほぼ同じであり、半田付用結線部５１の幅（半田付用結線部５１の相対向する内側面間の距離）は同軸ケーブ２０の中心導体２１の直径よりわずかに大きい。半田付用結線部５１に収容された中心導体２１は半田Ｓによって接続されている。
【００２６】
保持部５２は半田付用結線部５１に結合されている。保持部５２はインシュレータ３に埋め込まれて保持されている。
【００２７】
一対のばね部５３は保持部５２に結合され、グランドシェル７の径方向で対峙している。
【００２８】
一対の接触部５４はそれぞればね部５３に結合されている。同軸コネクタ１が相手側同軸コネクタ（図示せず）に接続されたとき、一対の接触部５４は、相手側同軸コネクタのピンコンタクトを挟み、一対のばね部５３のばね力によってそれぞれピンコンタクトに押し付けられる。
【００２９】
グランドシェル７はほぼ円筒状であり、インシュレータ３及び信号コンタクト５を包囲する。ここで、グランドシェル７の中心と半田付用結線部５１に半田付けされた中心導体２１の中心とは一致させてある。
【００３０】
同軸ケーブル２０を同軸コネクタ１に接続するには、まず、同軸ケーブル２０の一端部の中心導体２１と外部導体２３を露出させる。
【００３１】
次に、露出した外部導体２３と絶縁体２２との間に金属製のリング２５を配置する。
【００３２】
その後、インシュレータ３と一体化された信号コンタクト５の半田付用結線部５１に同軸ケーブル２０の中心導体２１を収容して半田付けする。
【００３３】
次に、図１に示すように、インシュレータ３、信号コンタクト５、リング２５とその周囲の外部導体２３及び同軸ケーブル２０の一端部をグランドシェル７に挿入する。
【００３４】
最後に、図２に示すように、グランドシェル７のリング２５に隣接する部分を６角柱状にかしめる。これにより、同軸ケーブル２０がグランドシェル７に固定される。
【００３５】
特性インピーダンスの値は信号伝送路（中心導体２１、半田Ｓ、半田付用結線部５１）の外周面とグランド（グランドシェル７）の内周面との間の距離により決定される。また、特性インピーダンスの値に対する影響度は、信号伝送路（中心導体２１、半田Ｓ、半田付用結線部５１）の外周面とグランド（グランドシェル７）の内周面との間の距離が近いところほど大きく、遠いところは小さい。
【００３６】
インピーダンス整合を行う上で大きな問題の一つは半田付用結線部５１と中心導体２１との半田付け作業である。なぜならば、半田付けの作業は手作業で行われ、半田の使用量を一定にするのが困難であるから、半田（信号伝送路）とグランドシェル（グランド）との間隔が半田付け作業の度に変化し、インピーダンス整合が困難になるからである。
【００３７】
この実施形態では、半田付用結線部５１の深さが同軸ケーブル２０の中心導体２１の外径と同等であるので、中心導体２１を半田付用結線部５１に収容し、半田付する際に、図３に示すように、半田Ｓを半田付用結線部５１内に閉じ込め、半田Ｓの露出面を半田付用結線部５１の開口面５１ａとほぼ同一平面にして半田付することができる。したがって、半田Ｓの露出面とグランドシェル７の内周面との間の距離のばらつきが抑えられ、半田Ｓの使用量のばらつきによる特性インピーダンスの変化量が低減できる。また、この実施形態では、半田付用結線部５１に収容し、半田付した中心導体２１の中心がグランドシェル７の中心に位置するように、半田付用結線部５１がグランドシェル７内に配置されている。
【００３８】
半田付用結線部５１の開口面における半田Ｓの露出面とグランドシェル７の内周面との間の距離Ｄ２は半田付用結線部５１の外周面とグランドシェル７の内周面との距離Ｄ１よりも大きくなるので、半田Ｓの露出面における特性インピーダンスへの影響力は小さく、その露出面に半田量の多少のばらつきがあったとしても特性インピーダンスが大きく変わることはない。したがって、半田Ｓの使用量のばらつきによる特性インピーダンスの変化量が低減される。
【００３９】
また、半田付用結線部５１の深さが同軸ケーブル２０の中心導体２１の外径と同等であり、中心導体２１の３方が半田付用結線部５１で囲まれるので、比較的少ない量の半田Ｓで高い接合強度を確保することができる。したがって、半田Ｓの使用量のばらつきを防ぐことが期待できる。
【００４０】
以上のように、この実施形態によれば、半田Ｓの使用量のばらつきによる特性インピーダンスの変化量を低減することができる。
【００４１】
図５は図１に示す同軸コネクタの変形例の横断面図である。
【００４２】
第１実施形態と共通する部分については同一符号を付してその説明を省略する。以下、第１実施形態との主な相違部分についてだけ説明する。
【００４３】
第１実施形態の同軸コネクタ１のグランドシェル７の横断面形状は円形であるが、この変形例に係る同軸コネクタ１０１のグランドシェル１０７の横断面形状はほぼ正方形である。
【００４４】
この変形例によれば、第１実施形態と同様の作用効果を奏する。
【００４５】
第１実施形態の他の変形例としては、グランドシェル７（１０７）にその長手方向に延びる複数のスリットが周方向へ等間隔に形成されたもの（図示せず）や、複数の細長いプレートで中心導体２１の四方を包囲するグランドシェル（図示せず）等が考えられる。
【００４６】
図６はこの発明の第２実施形態に係る同軸コネクタの横断面図である。
【００４７】
第１実施形態と共通する部分については同一符号を付してその説明を省略する。以下、第１実施形態との主な相違部分についてだけ説明する。
【００４８】
第２実施形態に係る同軸コネクタ２０１では、図６に示すように、信号コンタクト２０５の半田付用結線部２５１の開口面２５１ａを、グランドシェル７の開口面２５１ａと径方向（グランドシェル７の径方向）で対向する部分から離した。このため、第１実施形態に係る同軸コネクタ１では、信号コンタクト５の半田付用結線部５１に半田付けされた中心導体２１の中心点とグランドシェル７の中心点とは一致しているが、第２実施形態に係る同軸コネクタ２０１では、半田付用結線部２５１に半田付けされた中心導体２１の中心点２１ｓがグランドシェル７の中心点７ｓから下側（半田付用結線部２５１の開口面２５１ａと反対側面）にずれている。
【００４９】
第２実施形態によれば、第１実施形態と同様の作用効果を奏するとともに、開口面２５１ａで露出する半田Ｓとグランドシェル７との間隔が第１実施形態に係る同軸コネクタ１よりも広がるので、半田Ｓの使用量のばらつきによる特性インピーダンスの変化量をより低減することができる。
【００５０】
図７はこの発明の第３実施形態に係る同軸コネクタの横断面図である。
【００５１】
第１実施形態と共通する部分については同一符号を付してその説明を省略する。以下、第１実施形態との主な相違部分についてだけ説明する。
【００５２】
第１実施形態に係る同軸コネクタ１では、信号コンタクト５の半田付用結線部５１の深さを同軸ケーブル２０の中心導体２１の外径とほぼ等しくしたが、第３実施形態に係る同軸コネクタ３０１では、図７に示すように、信号コンタクト３０５の半田付用結線部３５１の深さを同軸ケーブル２０の中心導体２１の外径よりも大きくした。
【００５３】
第３実施形態によれば、第１実施形態と同様の作用効果を奏するとともに、グランドシェル７の開口面３５１ａと径方向（グランドシェル７の径方向）で対向する部分と半田付用結線部３５１とが近づくので、半田Ｓの使用量のばらつきによる特性インピーダンスの変化量をより低減することができる。
【００５４】
図８はこの発明の第４実施形態に係る同軸コネクタの横断面図である。
【００５５】
第１実施形態と共通する部分については同一符号を付してその説明を省略する。以下、第１実施形態との主な相違部分についてだけ説明する。
【００５６】
図８に示すように、第４実施形態は第２実施形態と第３実施形態とを組み合わせたものである。すなわち、同軸コネクタ４０１の信号コンタクト４０５の半田付用結線部４５１の開口面４５１ａを、グランドシェル７の開口面４５１ａと径方向（グランドシェル７の径方向）で対向する部分から引き離した。このため、第２実施形態に係る同軸コネクタ２０１と同様に、半田付用結線部４５１に半田付けされた中心導体２１の中心点２１ｓとグランドシェル７の中心点７ｓとがずれている。更に、信号コンタクト４０５の半田付用結線部４５１の深さを第３実施形態に係る同軸コネクタ３０１の半田付用結線部３５１と同様に深くした。
【００５７】
第４実施形態によれば、第１実施形態と同様の作用効果を奏するとともに、半田Ｓの使用量のばらつきによる特性インピーダンスの変化量をより低減することができる。
【００５８】
図９はこの発明の第５実施形態に係る同軸コネクタの横断面図である。
【００５９】
第１実施形態と共通する部分については同一符号を付してその説明を省略する。以下、第１実施形態との主な相違部分についてだけ説明する。
【００６０】
図９に示すように、第５実施形態に係る同軸コネクタ５０１では、グランドシェル５０７の信号コンタクト５の半田付用結線部５１の開口面５１ａと径方向（グランドシェル５０７の径方向）で対向する部分にスリット５７１が形成されている。
【００６１】
第５実施形態によれば、第１実施形態と同様の作用効果を奏するとともに、スリット５７１によって半田Ｓとグランドシェル５０７との間隔が広がったのと同じ作用効果を得られるので、半田Ｓの使用量のばらつきによる特性インピーダンスの変化量をより低減することができる。
【００６２】
図１０はこの発明の第６実施形態に係る同軸コネクタの横断面図である。
【００６３】
第１実施形態と共通する部分については同一符号を付してその説明を省略する。以下、第１実施形態との主な相違部分についてだけ説明する。
【００６４】
図１０に示すように、第６実施形態に係る同軸コネクタ６０１のインシュレータ６０３は、誘電体部（誘電体層）６３１を有する。誘電体部６３１は、信号コンタクト５の半田付用結線部５１の開口面５１ａを除く３方の面とこの３方の面に中心導体２１の径方向で対向するグランドシェル７の内周面との間に収容され、半田付用結線部５１の３方を包囲する。
【００６５】
半田付用結線部５１の開口面５１ａとグランドシェル７の開口面５１ａと径方向（グランドシェル７の径方向）で対向する部分との間には空気層Ａが形成される。
【００６６】
第６実施形態によれば、第１実施形態と同様の作用効果を奏するとともに、開口面５１ａとグランドシェル７の内周面との間に空気層Ａを形成し、半田付用結線部５１の開口面５１ａ以外の３方を誘電体部６３１で包囲したので、半田Ｓとグランドシェル７との間隔と特性インピーダンスの値との関係性が弱くなり、半田Ｓの使用量のばらつきによる特性インピーダンスの変化量をより低減することができる。
【００６７】
図１１はこの発明の第７実施形態に係る同軸コネクタの横断面図である。
【００６８】
第１実施形態と共通する部分については同一符号を付してその説明を省略する。以下、第１実施形態との主な相違部分についてだけ説明する。
【００６９】
図１１に示すように、第７実施形態は第３実施形態と第５実施形態とを組み合わせたものである。すなわち、同軸コネクタ７０１の信号コンタクト７０５の半田付用結線部７５１の深さを第３実施形態に係る同軸コネクタ３０１の半田付用結線部３５１と同様に中心導体２１の外径よりも大きくし、更に同軸コネクタ７０１のグランドシェル７０７に、第５実施形態に係る同軸コネクタ５０１のグランドシェル５０７と同様にスリット７７１を形成した。
【００７０】
スリット７７１は半田付用結線部７５１の開口面７５１ａと径方向（グランドシェル７０７の径方向）で対向する。
【００７１】
第４実施形態によれば、第１実施形態と同様の作用効果を奏するとともに、半田Ｓの使用量のばらつきによる特性インピーダンスの変化量をより低減することができる。
【００７２】
図１２はこの発明の第８実施形態に係る同軸コネクタの横断面図である。
【００７３】
第１実施形態と共通する部分については同一符号を付してその説明を省略する。以下、第１実施形態との主な相違部分についてだけ説明する。
【００７４】
図１２に示すように、第８実施形態は第３実施形態と第６実施形態とを組み合わせたものである。すなわち、同軸コネクタ８０１の信号コンタクト８０５の半田付用結線部８５１の深さを第３実施形態に係る同軸コネクタ３０１の半田付用結線部３５１と同様に中心導体２１の外径よりも大きくし、更に同軸コネクタ８０１のインシュレータ８０３に第６実施形態に係る同軸コネクタ６０１のインシュレータ６０３と同様に誘電体部（誘電体層）８３１を形成した。
【００７５】
第８実施形態によれば、第１実施形態と同様の作用効果を奏するとともに、半田Ｓの使用量のばらつきによる特性インピーダンスの変化量をより低減することができる。
【００７６】
第１、２、３、５、６実施形態の効果を確認するために実験を行った。第１、２、３、５、６実施形態に係る同軸コネクタの半田付用結線部の幅だけを調整して、各実施形態に係る同軸コネクタの特性インピーダンスの値が５０Ωになるように調整した。以下、実験結果について説明する。
【００７７】
図１３Ａは第１実施形態に係る同軸コネクタの使用状態を示し、半田の使用量を少なくして半田付けを行ったときの同軸コネクタの横断面図、図１３Ｂは同同軸コネクタの使用状態を示し、半田の使用量を多くして半田付けを行ったときの同軸コネクタの横断面図である。
【００７８】
図１３Ａに示すように、ある量の半田を用いて中心導体２１を半田付用結線部５１に半田付けしたときの特性インピーダンスの値は５０．１６Ωであった。
【００７９】
図１３Ｂに示すように、図１３Ａのときの半田より所定量だけ多い半田を用いて中心導体２１を半田付用結線部５１に半田付けしたときの特性インピーダンスの値は４９．２４Ωであった。半田使用量が増加することによって特性インピーダンスが０．９２Ω減った。なお、半田使用量の増加量は第１、２、３、５、６実施形態において共通である。
【００８０】
図１４Ａは第２実施形態に係る同軸コネクタの使用状態を示し、半田の使用量を少なくして半田付けを行ったときの同軸コネクタの横断面図、図１４Ｂは同同軸コネクタの使用状態を示し、半田の使用量を多くして半田付けを行ったときの同軸コネクタの横断面図である。
【００８１】
図１４Ａに示すように、ある量の半田を用いて中心導体２１を半田付用結線部５１に半田付けしたときの特性インピーダンスの値は５０．０７Ωであった。
【００８２】
図１４Ｂに示すように、図１４Ａのときの半田より所定だけ多い半田を用いて中心導体２１を半田付用結線部５１に半田付けしたときの特性インピーダンスの値は４９．２６Ωであった。半田使用量が増加することによって特性インピーダンスが０．８１Ω減った。
【００８３】
図１５Ａは第３実施形態に係る同軸コネクタの使用状態を示し、半田の使用量を少なくして半田付けを行ったときの同軸コネクタの横断面図、図１５Ｂは同同軸コネクタの使用状態を示し、半田の使用量を多くして半田付けを行ったときの同軸コネクタの横断面図である。
【００８４】
図１５Ａに示すように、ある量の半田を用いて中心導体２１を半田付用結線部５１に半田付けしたときの特性インピーダンスの値は５０．０６Ωであった。
【００８５】
図１５Ｂに示すように、図１５Ａのときの半田より所定量だけ多い半田を用いて中心導体２１を半田付用結線部５１に半田付けしたときの特性インピーダンスの値は４９．５１Ωであった。半田使用量が増加することによって特性インピーダンスが０．５５Ω減った。
【００８６】
図１６Ａは第５実施形態に係る同軸コネクタの使用状態を示し、半田の使用量を少なくして半田付けを行ったときの同軸コネクタの横断面図、図１６Ｂは同同軸コネクタの使用状態を示し、半田の使用量を多くして半田付けを行ったときの同軸コネクタの横断面図である。
【００８７】
図１６Ａに示すように、ある量の半田を用いて中心導体２１を半田付用結線部５１に半田付けしたときの特性インピーダンスの値は５０．０９Ωであった。
【００８８】
図１６Ｂに示すように、図１６Ａのときの半田より所定量だけ多い半田を用いて中心導体２１を半田付用結線部５１に半田付けしたときの特性インピーダンスの値は４９．２３Ωであった。半田使用量が増加することによって特性インピーダンスが０．８６Ω減った。
【００８９】
図１７Ａは第６実施形態に係る同軸コネクタの使用状態を示し、半田の使用量を少なくして半田付けを行ったときの同軸コネクタの横断面図、図１７Ｂは同同軸コネクタの使用状態を示し、半田の使用量を多くして半田付けを行ったときの同軸コネクタの横断面図である。
【００９０】
図１７Ａに示すように、ある量の半田を用いて中心導体２１を半田付用結線部５１に半田付けしたときの特性インピーダンスの値は５０．１２Ωであった。
【００９１】
図１７Ｂに示すように、図１７Ａのときの半田より所定量だけ多い半田を用いて中心導体２１を半田付用結線部５１に半田付けしたときの特性インピーダンスの値は４９．６１Ωであった。半田使用量が増加することによって特性インピーダンスが０．５１Ω減った。
【００９２】
以上の実験結果から明らかなように、半田使用量の変化による特性インピーダンスの変化が最も少ないのは図１７Ａ，１７Ｂに示す第６実施形態であった。
【００９３】
上述の実施形態では、ソケット型の信号コンタクトが用いられているが、信号コンタクトはソケット型のものに限られず、ピン型の信号コンタクトを用いてもよい。
【図面の簡単な説明】
【００９４】
【図１】図１はこの発明の第１実施形態に係る同軸コネクタの縦断面図である。
【図２】図２は図１に示す同軸コネクタの外観を示す斜視図である。
【図３】図３は図２のIII−III線に沿う断面図である。
【図４】図４は図２に示す同軸コネクタの横断面を示す斜視図である。
【図５】図５は図１に示す同軸コネクタの変形例の横断面図である。
【図６】図６はこの発明の第２実施形態に係る同軸コネクタの横断面図である。
【図７】図７はこの発明の第３実施形態に係る同軸コネクタの横断面図である。
【図８】図８はこの発明の第４実施形態に係る同軸コネクタの横断面図である。
【図９】図９はこの発明の第５実施形態に係る同軸コネクタの横断面図である。
【図１０】図１０はこの発明の第６実施形態に係る同軸コネクタの横断面図である。
【図１１】図１１はこの発明の第７実施形態に係る同軸コネクタの横断面図である。
【図１２】図１２はこの発明の第８実施形態に係る同軸コネクタの横断面図である。
【図１３Ａ】図１３Ａは第１実施形態に係る同軸コネクタの使用状態を示し、半田の使用量を少なくして半田付けを行ったときの同軸コネクタの横断面図である。
【図１３Ｂ】図１３Ｂは同同軸コネクタの使用状態を示し、半田の使用量を多くして半田付けを行ったときの同軸コネクタの横断面図である。
【図１４Ａ】図１４Ａは第２実施形態に係る同軸コネクタの使用状態を示し、半田の使用量を少なくして半田付けを行ったときの同軸コネクタの横断面図である。
【図１４Ｂ】図１４Ｂは同同軸コネクタの使用状態を示し、半田の使用量を多くして半田付けを行ったときの同軸コネクタの横断面図である。
【図１５Ａ】図１５Ａは第３実施形態に係る同軸コネクタの使用状態を示し、半田の使用量を少なくして半田付けを行ったときの同軸コネクタの横断面図である。
【図１５Ｂ】図１５Ｂは同同軸コネクタの使用状態を示し、半田の使用量を多くして半田付けを行ったときの同軸コネクタの横断面図である。
【図１６Ａ】図１６Ａは第５実施形態に係る同軸コネクタの使用状態を示し、半田の使用量を少なくして半田付けを行ったときの同軸コネクタの横断面図である。
【図１６Ｂ】図１６Ｂは同同軸コネクタの使用状態を示し、半田の使用量を多くして半田付けを行ったときの同軸コネクタの横断面図である。
【図１７Ａ】図１７Ａは第６実施形態に係る同軸コネクタの使用状態を示し、半田の使用量を少なくして半田付けを行ったときの同軸コネクタの横断面図である。
【図１７Ｂ】図１７Ｂは同同軸コネクタの使用状態を示し、半田の使用量を多くして半田付けを行ったときの同軸コネクタの横断面図である。
【符号の説明】
【００９５】
１，２０１，３０１，４０１，５０１，６０１，７０１，８０１  同軸コネクタ（コネクタ）
３，６０３，８０３  インシュレータ
６３１，８３１  誘電体部（誘電体層）
５，２０５，３０５，４０５，７０５，８０５  信号コンタクト
５１，２５１，３５１，４５１，７５１，８５１  半田付用結線部
５１ａ，２５１ａ，３５１ａ，４５１ａ，７５１ａ，８５１ａ  開口面
５２  保持部
７，１０７，５０７，７０７  グランドシェル
２０  同軸ケーブル
２１  中心導体
【図１】
0004868462.tif 000002
【図２】
0004868462.tif 000003
【図３】
0004868462.tif 000004
【図４】
0004868462.tif 000005
【図５】
0004868462.tif 000006
【図６】
0004868462.tif 000007
【図７】
0004868462.tif 000008
【図８】
0004868462.tif 000009
【図９】
0004868462.tif 000010
【図１０】
0004868462.tif 000011
【図１１】
0004868462.tif 000012
【図１２】
0004868462.tif 000013
【図１３Ａ】
0004868462.tif 000014
【図１３Ｂ】
0004868462.tif 000015
【図１４Ａ】
0004868462.tif 000016
【図１４Ｂ】
0004868462.tif 000017
【図１５Ａ】
0004868462.tif 000018
【図１５Ｂ】
0004868462.tif 000019
【図１６Ａ】
0004868462.tif 000020
【図１６Ｂ】
0004868462.tif 000021
【図１７Ａ】
0004868462.tif 000022
【図１７Ｂ】
0004868462.tif 000023